【手続補正書】
【提出日】平成29年10月20日(2017.10.20)
【手続補正１】
【補正対象書類名】明細書
【補正対象項目名】００３１
【補正方法】変更
【補正の内容】
【００３１】
幾つかの実施形態において、原動機ギヤ１２８および駆動シャフトギヤ１４８は、取り外し可能に噛み合わされても（または、係合されても）よい。したがって、これらのギヤが噛み合わされると、原動機１２６の動作によって、原動機ギヤ１２８、駆動シャフトギヤ１４８および駆動シャフト１４２の回転運動が誘導される。駆動シャフト１４２の回転運動は、原動機ギヤ１２８と駆動シャフトギヤ１４８との噛み合わせを外す（または係合を解除する）ことによって、および／または原動機１２６を停止することによって、停止されてもよい。一般的な当業者には明らかとなるように、駆動シャフト１４２の回転速度は、少なくとも部分的に、駆動シャフトギヤ１４８と原動機ギヤ１２８との歯車比によって、かつ原動機１２６の回転速度によって決定される。所定の実施形態において、原動機ギヤ１２８および駆動シャフトギヤ１４８は、直径が同じでありかつ同数の歯を有する点で略類似している。このような実施形態では、原動機ギヤ１２８および駆動シャフトギヤ１４８は、略類似の回転速度を有する。他の実施形態では、原動機ギヤ１２８および駆動シャフトギヤ１４８は、噛み合う２つのギヤの一方が他方より速く、または遅く回転するように、異なる回転速度を有してもよい。一般的な当業者には明らかとなるように、これは、２つのギヤのうちの一方の直径を他方よりも減らしかつ歯数を他方より増すことによって達成することができる。これらの実施形態は、唯一の原動機ギヤ１２８および唯一の駆動シャフトギヤ１４８について記述しかつ例示しているが、ギヤのこのような配置および量を限定的とすべきではない。例えば、図示されていないが、デバイス１００の幾つかの実施形態は、１つの原動機ギヤ１２８および１つの駆動シャフトギヤ１４８と噛み合わされる１つまたは複数の追加的なギヤを有するギヤボックスを含んでもよい。
【手続補正２】
【補正対象書類名】明細書
【補正対象項目名】００３５
【補正方法】変更
【補正の内容】
【００３５】
原動機ギヤ１２８と駆動シャフトギヤ１４８との位置合わせを保証するために、デバイス１００の幾つかの実施形態は、少なくともギヤ係合アッセンブリ１４４を案内するための少なくとも１つの位置合わせエレメントを含む。デバイス１００の幾つかの実施形態において、位置合わせエレメントの少なくとも一部分は、チャネル１１２、開口１１４および開口１１８、内部１２０、原動機キャリッジ１２４およびギヤ係合アッセンブリ１４４のうちの１つまたはそれ以上の中に設けられる。デバイス１００の所定の実施形態において、位置合わせエレメントは、少なくとも１つの第１および第２の相補的な区画を含んでもよく、第１の区画は、ギヤ係合アッセンブリ１４４上に配置され、かつ第２の区画は、チャネル１１２、開口１１４および開口１１８、内部１２０および原動機キャリッジ１２４のうちの何れか１つまたはそれ以上の上に配置される。例えば、位置合わせエレメントは、実矧ぎ構造を含んでもよく、第１の区画、即ち凸部は、ギヤ係合アッセンブリ１４４上に配置され、かつ第２の区画、即ち溝は、チャネル１１２、開口１１４および開口１１８、内部１２０および原動機キャリッジ１２４のうちの１つまたはそれ以上の上に連続して、または区画別（例えば、部分的）に配置される。当然ながら、凸部および溝が配置されるデバイス１００のコンポーネントまたはエレメントは、逆にされてもよい。位置合わせエレメントが第１の区画および第２の区画の双方を含むことが、必ずしも必要ではなく、または要件でもないことは認識されるべきである。幾つかの実施形態によっては、デバイス１００のコンポーネントおよび／またはエレメントを、位置合わせエレメントの１つの区画のみが必要とされるように構成することができる。位置合わせエレメントの幾つかの非限定的な実施例は、１つまたは複数のランプ、リブ、レールおよびチャネルを含む。一般的な当業者に明らかとなり得る位置合わせエレメントの代替構造は、全て、本開示の範囲に含まれるものとされる。
【手続補正３】
【補正対象書類名】明細書
【補正対象項目名】００３７
【補正方法】変更
【補正の内容】
【００３７】
幾つかの実施形態において、デバイス１００は、位置合わせされる原動機ギヤ１２８および駆動シャフトギヤ１４８を、これらのギヤが噛み合うと、原動機１２６および駆動シャフト１４２のうちの一方の回転運動が他方の回転運動を誘導するように噛み合わせるための少なくとも１つの付勢エレメントを含む。幾つかの実施形態において、この少なくとも１つの付勢エレメントは、少なくとも原動機ギヤ１２８を、ギヤ１２８およびギヤ１４８が位置合わせされると駆動シャフトギヤ１４８が位置決めされる位置へ向かって変位させる。他の実施形態において、この少なくとも１つの付勢エレメントは、少なくとも駆動シャフトギヤ１４８を、ギヤ１２８およびギヤ１４８が位置合わせされると原動機ギヤ１２８が位置決めされる位置へ向かって変位させる。代替実施形態において、デバイス１００は、原動機ギヤ１２８および駆動シャフトギヤ１４８の双方を、ギヤ１２８およびギヤ１４８が位置合わせされると互いに向かって変位させるように構成される１つまたは複数の付勢エレメントを含んでもよい。付勢エレメントの非限定的な実施例には、圧縮ばね、コイルばね、板ばねおよび他の適切なコンポーネントおよび／または材料が含まれる。
【手続補正４】
【補正対象書類名】明細書
【補正対象項目名】００４０
【補正方法】変更
【補正の内容】
【００４０】
幾つかの実施形態において、駆動シャフトカートリッジ１０４は、ハンドル１０２および原動機キャリッジ１２４のうちの少なくとも一方の上の解放可能なロック機能と係合する解放可能なロック機能を含む。幾つかの実施形態において、原動機キャリッジ１２４の近位端に、またはその近くに、自動解放ロック機構２０４が設けられる。図示されている実施形態では、自動解放ロック機構２０４が原動機ギヤ１２８に近接して位置決めされている。実施形態によっては、駆動シャフトカートリッジ１０４の近位区画１３８の少なくとも一部分が自動解放ロック機構２０４と係合される。幾つかの実施形態において、ハンドル１０２も、チャネル２０８内に自動解放ロック機構２０６を有する。所定の実施形態において、１つまたは複数の自動解放ロック機構２０４および２０６は、原動機キャリッジ１２４が駆動シャフトカートリッジ１０４と接続されていない間の原動機キャリッジ１２４の変位または移動を抑止するように構成される。デバイス１００が「装填」されて原動機ギヤ１２８および駆動シャフトギヤ１４８が噛み合うと、１つまたは複数の自動解放ロック機構２０４および２０６が係合を解除される。
【手続補正５】
【補正対象書類名】明細書
【補正対象項目名】００４４
【補正方法】変更
【補正の内容】
【００４４】
デバイス１００の幾つかの実施形態は、ハンドル１０２から交換式駆動シャフトカートリッジ１０４を取り外せるように、噛合いギヤ１２８および１４８を分離する、例えばこれらの噛み合わせを外す、ための１つまたは複数の解放機構を含んでもよい。デバイス１００の他の実施形態において、ハンドル１０２、駆動シャフトカートリッジ１０４および位置合わせエレメントのうちの１つまたはそれ以上は、ハンドル１０２および駆動シャフトカートリッジ１０４が互いから変位することによって、並置された原動機キャリッジ１２４およびギヤ係合アッセンブリ１４４が分離され、かつ噛合いギヤ１２８および１４８も分離される、例えば噛み合わせを外される、ように構成されてもよい。
【手続補正６】
【補正対象書類名】明細書
【補正対象項目名】００４５
【補正方法】変更
【補正の内容】
【００４５】
図３Ａおよび図３Ｂは、デバイス１００の一実施形態における、原動機ギヤ１２８と駆動シャフトギヤ１４８とを互いに噛み合わせるための一実施形態を示す長手方向断面図である。別段で記述しているように、本明細書に開示しているデバイス、例えばデバイス１００、の一実施形態は、少なくとも部分的に細長い中空の中間区画によって画定されるハンドルを含む。図３Ａは、例えばハンドル１０２であるハンドルの細長い中空の中間区画の一実施形態内の内部３０２の一部分を示す。内部１２０の場合と同様に、内部３０２は、ギヤ係合アッセンブリ３０４および原動機キャリッジ３０６を収容しかつこれらを線形変位させるように構成される。幾つかの点において、ギヤ係合アッセンブリ３０４および原動機キャリッジ３０６の実施形態は各々、デバイス１００に関連して別段で記述しているギヤ係合アッセンブリ１４４および原動機キャリッジ１２４に略類似する。したがって、ギヤ係合アッセンブリ３０４は、ギヤ係合アッセンブリ３０４から遠位方向へ延在する駆動シャフトの近位端へ固定して取り付けられる駆動シャフトギヤ３０８を含む。また、原動機キャリッジ３０６は、原動機ギヤ３１２がシャフト３１４へ固定して取り付けられている原動機３１０を含む。
【手続補正７】
【補正対象書類名】明細書
【補正対象項目名】００８４
【補正方法】変更
【補正の内容】
【００８４】
デバイス７００を「装填」する場合、中間区画７０８の内部１２０がドア７１０を開くことによって露出される。原動機キャリッジ１２４およびギヤ係合アッセンブリ１４４は、原動機ギヤ１２８および駆動シャフトギヤ１４８が位置合わせされるように、旋回コネクタ７１４の旋回点または旋回軸７１６において旋回可能かつ取り外し可能に結合される。次に、遠位区画７０６および７１２が、ハンドル７０２および駆動シャフトカートリッジ７０４を旋回点または旋回軸７１６を中心にして回転させることにより、互いへ向かって変位されて並置される。遠位区画７０６および７１２が取り外し可能に接続されると、原動機ギヤ１２８および駆動シャフトギヤ１４８が噛み合わされる。この後、ドア７１０が閉じられると、デバイス７００の使用準備が整う。デバイス７００を「装填解除」する場合は、デバイス７００を「装填」するプロセスが逆に実行される。
【手続補正８】
【補正対象書類名】明細書
【補正対象項目名】００９１
【補正方法】変更
【補正の内容】
【００９１】
デバイス９００を「装填」する場合、第１のコネクタの第１および第２の区画を用いて、ハンドル９０４の中間区画９０２と駆動シャフトカートリッジ９０８の近位区画９０６とが互いに旋回可能かつ取り外し可能に接続される。次に、原動機キャリッジ１２４およびギヤ係合アッセンブリ１４４が、原動機ギヤ１２８と駆動シャフトギヤ１４８とが位置合わせされるように位置決めされる。次に、ハンドル９０４および駆動シャフトカートリッジ９０８を第１の旋回コネクタの旋回点または旋回軸９１４を中心にして回転させることにより、ハンドル９０４の遠位区画９１０および駆動シャフトカートリッジ９０８の中間区画９１２が互いへ向かって変位されて並置される。この後、第２のコネクタの第１および第２の区画は、自動的に、または手動で、ハンドル９０４の遠位区画９１０と駆動シャフトカートリッジ９０８の中間区画９１２とを互いに取り外し可能に接続するように動作する。また、原動機ギヤ１２８と駆動シャフトギヤ１４８とが噛み合わされる。第２のコネクタは、ハンドル９０４の遠位区画９１０と駆動シャフトカートリッジ９０８の中間区画９１２との接続を互いに解除するようにも動作することができる。デバイス８００の場合と同様に、デバイス９００も略類似する第３のコネクタを含むことができる。
【手続補正９】
【補正対象書類名】明細書
【補正対象項目名】０１０７
【補正方法】変更
【補正の内容】
【０１０７】
プロセッサ１１１８は、原動機１１０６および駆動シャフトカートリッジ１１０４のうちの一方または双方の使用状況統計によって第２のデータモジュール１１２０を更新する。例えば、非限定的な実施形態例において、プロセッサ１１１８は、第２のデータモジュール１１２０を、様々な動作速度において研磨エレメントが使用された合計時間、研磨エレメントが使用された累積時間、他等の情報によって更新する。所定の手技の場合、このような使用状況統計は、手技後の分析に使用される。
【手続補正１０】
【補正対象書類名】図面
【補正対象項目名】図３Ａ
【補正方法】変更
【補正の内容】
【図３Ａ】
2017525514.tif 000001
【手続補正１１】
【補正対象書類名】図面
【補正対象項目名】図３Ｂ
【補正方法】変更
【補正の内容】
【図３Ｂ】
2017525514.tif 000002
【手続補正１２】
【補正対象書類名】図面
【補正対象項目名】図４Ｂ
【補正方法】変更
【補正の内容】
【図４Ｂ】
2017525514.tif 000003